(57)【要約】【課題】開閉可能な戸体を設ける場所において採光可能な室内空間の採光構造を提供すること。【解決手段】室内空間の採光構造１は、室内空間を仕切ると共に室内空間への採光が可能な室内空間の採光構造であって、上下方向又は横方向の少なくとも一方に並んで配置される複数の窓４０，５０を有する窓ユニット２０と、窓ユニット２０に隣接して並んで配置される開閉可能な戸体７２と、を備える。窓ユニット２０と戸体７２との間に配置され、上下方向に延びる柱状構造体１１３を更に備え、窓ユニット２０と戸体７２とは、柱状構造体１１３を介して接続されることが好ましい。【選択図】図１
2019044435.tif 000002
【特許請求の範囲】
【請求項１】
室内空間を仕切ると共に前記室内空間への採光が可能な室内空間の採光構造であって、
上下方向又は横方向の少なくとも一方に並んで配置される複数の窓を有する窓ユニットと、
前記窓ユニットに隣接して並んで配置される開閉可能な戸体と、を備える室内空間の採光構造。
【請求項２】
前記窓ユニットと前記戸体との間に配置され、上下方向に延びる柱状構造体を更に備え、
前記窓ユニットと前記戸体とは、前記柱状構造体を介して接続される請求項１に記載の室内空間の採光構造。
【請求項３】
前記窓ユニットは、前記戸体を回転可能に支持する蝶番側において、前記戸体が開位置に位置する場合に前記戸体に対向する壁面よりも奥側の位置に配置される請求項１又は２に記載の室内空間の採光構造。
【請求項４】
前記窓ユニットは、上下方向に並んで配置される複数の窓を有し、複数の種類の窓が配置される請求項１から３のいずれかに記載の室内空間の採光構造。
【請求項５】
前記窓ユニットは、横方向に連続して配置された連窓を構成し、
前記連窓における隣接する窓の縦枠同士は、前記縦枠の長手方向に直交する方向に連結される請求項１から４のいずれかに記載の室内空間の採光構造。
【発明の詳細な説明】
【技術分野】
【０００１】
本発明は、室内空間の採光構造に関する。
【背景技術】
【０００２】
従来、室内空間の採光構造として、室内空間を区画する壁に、固定窓（窓）及び開閉窓（窓）を上下に複数段配置した窓ユニットを設置したものが知られている（例えば、特許文献１参照）。特許文献１に記載の室内空間の採光構造においては、区画した室内空間に、複数の窓を介して、光を採り入れることができる。
【先行技術文献】
【特許文献】
【０００３】
【特許文献１】実用新案登録第３２０８１１７号公報
【発明の概要】
【発明が解決しようとする課題】
【０００４】
ところで、室内空間を仕切る壁に、開閉可能なドア（戸体）を設けることがある。室内空間を仕切る壁に開閉可能なドア（戸体）を設ける場所においても、光を採り入れることが求められている。
【０００５】
本発明は、開閉可能な戸体を設ける場所において採光可能な室内空間の採光構造を提供することを目的とする。
【課題を解決するための手段】
【０００６】
本発明は、室内空間を仕切ると共に前記室内空間への採光が可能な室内空間の採光構造（例えば、後述する室内空間の採光構造１）であって、上下方向又は横方向の少なくとも一方に並んで配置される複数の窓（例えば、後述する開閉窓４０、ＦＩＸ窓５０）を有する窓ユニット（例えば、後述する室内窓ユニット２０）と、前記窓ユニットに隣接して並んで配置される開閉可能な戸体（例えば、後述する戸体７２）と、を備える室内空間の採光構造に関する。
【０００７】
また、前記窓ユニットと前記戸体との間に配置され、上下方向に延びる柱状構造体（例えば、後述する柱状構造体１１３）を更に備え、前記窓ユニットと前記戸体とは、前記柱状構造体を介して接続されることが好ましい。
【０００８】
また、前記窓ユニットは、前記戸体に対して前記戸体を回転可能に支持する蝶番（例えば、後述する蝶番７３）側において、前記戸体が開位置に位置する場合に前記戸体に対向する壁面（例えば、後述する対向壁面１１ａ）よりも奥側の位置に配置されることが好ましい。
【０００９】
また、前記窓ユニットは、上下方向に並んで配置される複数の窓を有し、複数の種類の窓が配置されることが好ましい。
【００１０】
また、前記窓ユニットは、横方向に連続して配置された連窓を構成し、前記連窓における隣接する窓の縦枠（例えば、後述する連結縦枠３３）同士は、前記縦枠の長手方向に直交する方向に連結されることが好ましい。
【発明の効果】
【００１１】
本発明によれば、開閉可能な戸体を設ける場所において採光可能な室内空間の採光構造を提供することができる。
【図面の簡単な説明】
【００１２】
【図１】本発明の第１実施形態に係る室内空間の採光構造を示す斜視図である。
【図２】本発明の室内空間の採光構造において、戸体と室内窓ユニットとが並ぶ部分を拡大した斜視図である。
【図３】戸体及び室内窓ユニットの横断面であって、図２のＡ−Ａ線断面図である。
【図４】戸体の上部の縦断面であって、図２のＢ−Ｂ線断面図である。
【図５】室内窓ユニットの開閉窓を構成する部分の縦断面図であって、図２のＣ−Ｃ線断面図である。
【図６】図５の部分拡大図である。
【図７】室内窓ユニットの開閉窓を構成する部分の横断面図であって、図２のＤ−Ｄ線断面図である。
【図８】室内窓ユニットのＦＩＸ窓を構成する部分の縦断面図であって、図２のＥ−Ｅ線断面図である。
【図９】図８の部分拡大図である。
【図１０】室内窓ユニットのＦＩＸ窓を構成する部分の横断面図であって、図２のＦ−Ｆ線断面図である。
【図１１】第１実施形態の図３に対応する第２実施形態の室内空間の採光構造を示す図であって、戸体及び室内窓ユニットの横断面である。
【発明を実施するための形態】
【００１３】
［第１実施形態］
以下、本発明の第１実施形態の室内空間の採光構造１について、図面を参照しながら説明する。図１は、本発明の第１実施形態に係る室内空間の採光構造１を示す斜視図である。図２は、本発明の室内空間の採光構造１において、戸体７２と室内窓ユニット２０とが並ぶ部分を拡大した斜視図である。図３は、戸体７２及び室内窓ユニット２０の横断面であって、図２のＡ−Ａ線断面図である。
【００１４】
なお、本明細書において、「見付方向」とは、開口１０１，１０２に納められた室内窓ユニット２０及び戸体７２の面方向を意味し、「見込方向」は室内窓ユニット２０及び戸体７２の厚さ方向である奥行方向であり、室内窓ユニット２０及び戸体７２の厚さ方向を意味する。また、戸体７２の奥行方向において、戸体７２が開く側を手前側といい、その反対側を奥側という。本実施形態においては、ドアノブ７５が配置される側に戸体７２を開くため、図２において、紙面の手前側が戸体７２の手前側であり、紙面の奥側が戸体７２の奥側である。また、図３において、紙面の下方側が戸体７２の手前側であり、紙面の上方側が戸体７２の奥側である。
【００１５】
図１に示すように、本実施形態の室内空間の採光構造１は、室内窓ユニット２０と、開閉可能な戸体７２を有する枠付ドア７０と、を備える。室内空間の採光構造１は、室内窓ユニット２０を備えることで、室内空間への採光が可能な構造を有している。
枠付ドア７０は、室内空間を仕切る仕切壁１１のドア側開口１０１に配置される。
室内窓ユニット２０は、室内空間を仕切る仕切壁１１の窓側開口１０２に配置される。
【００１６】
戸体７２を有する枠付ドア７０と、室内窓ユニット２０とは、隣接して並んで配置される。ここで、「枠付ドア７０と室内窓ユニット２０とが隣接して並んで配置される」とは、室内空間に光を採り入れることにより、戸体７２が配置された室内空間を明るくオープンにさせる距離で、枠付ドア７０と室内窓ユニット２０とが隣り合って並んで配置されていることを意味する。
【００１７】
本実施形態では、室内窓ユニット２０及び枠付ドア７０によって、室内空間が仕切られている。本実施形態においては、図１においては、図示されていないが、室内窓ユニット２０及び枠付ドア７０の奥側には、枠付ドア７０及び室内窓ユニット２０により仕切られた室内空間が存在する。なお、本実施形態において、室内空間において、枠付ドア７０及び室内窓ユニット２０の手前側の空間を手前側空間、枠付ドア７０及び室内窓ユニット２０の奥側の空間を奥側空間という場合もある。
【００１８】
また、本実施形態においては、仕切壁１１により室内空間の広い範囲において、室内空間を仕切っているが、これに限定されず、仕切壁１１は存在しなくてもよい。仕切壁１１が存在しなくても、室内窓ユニット２０及び枠付ドア７０が隣接して並んで配置されていて、室内空間を仕切っていればよい。この場合に、室内窓ユニット２０及び枠付ドア７０は、例えば、後述する木枠１３に固定されていてもよい。
【００１９】
仕切壁１１は、図２及び図３に示すように、木枠１３と、木枠１３の表面に配置された壁面ボード１８と、を有し、所定の厚さの壁状に形成され、室内空間を仕切っている。仕切壁１１には、２つの開口１０１，１０２が形成されている。
【００２０】
２つの開口１０１，１０２は、仕切壁１１の面方向に沿って左右方向に隣接して並んで配置される。２つの開口１０１，１０２は、室内空間を仕切る仕切壁１１が延びる方向に沿って配置される。本実施形態においては、２つの開口１０１，１０２は、ドア側開口１０１と、窓側開口１０２とである。ドア側開口１０１には、枠付ドア７０が納められている。窓側開口１０２には、室内窓ユニット２０が納められている。
【００２１】
仕切壁１１に形成される２つの開口１０１，１０２は、図２及び図３に示すように、木枠１３により枠組みされることで形成される。木枠１３は、上下方向に延びる複数の縦木枠１４と、複数の縦木枠１４の上端において左右方向に延びて形成され複数の縦木枠１４を接続する上端横木枠１５と、を有する。本実施形態においては、複数の縦木枠１４は、２つの開口１０１，１０２の間に配置される中央縦木枠１４１と、左右の端部縦木枠１４２，１４３と、により構成される。左右の端部縦木枠１４２，１４３は、ドア側端部縦木枠１４２と、窓側端部縦木枠１４３と、から構成される。
【００２２】
ドア側開口１０１は、仕切壁１１において、枠付ドア７０と室内窓ユニット２０とが並んで配置される一方側（例えば、図２における左側）に配置される。ドア側開口１０１は、木枠１３のうち、ドア側端部縦木枠１４２と、上端横木枠１５における枠付ドア７０側の部分と、中央縦木枠１４１と、床１２とで囲まれて開口する部分である。ドア側開口１０１には、ドア枠体７１を介して、戸体７２が納められる。
【００２３】
窓側開口１０２には、仕切壁１１において、枠付ドア７０と室内窓ユニット２０とが並んで配置される他方側（例えば、図２における右側）に配置される。窓側開口１０２は、木枠１３のうち、窓側端部縦木枠１４３と、上端横木枠１５における室内窓ユニット２０側の部分と、中央縦木枠１４１と、床１２とで囲まれて開口する部分である。窓側開口１０２には、上下方向及び左右方向（横方向）に複数の窓（開閉窓４０、ＦＩＸ窓５０）が並んで配置された室内窓ユニット２０が納められる。
【００２４】
次に、枠付ドア７０及び室内窓ユニット２０の詳細について説明する。
まず、枠付ドア７０について説明する。図４は、戸体７２の上部の縦断面であって、図２のＢ−Ｂ線断面図である。
【００２５】
枠付ドア７０は、図２に示すように、ドア側開口１０１に配置される。枠付ドア７０は、ドア側開口１０１に固定されるドア枠体７１と、ドア枠体７１に取り付けられる戸体７２と、を主要な構成として備える建具であり、室内空間を仕切るドアである。枠付ドア７０の戸体７２は、開閉可能に構成される。
【００２６】
ドア枠体７１は、図２に示すように、戸体上枠７１１と、吊元側縦枠７１２と、戸先側縦枠７１３とが、下方側が開放したＵ字状に枠組みされて構成される。戸体上枠７１１、吊元側縦枠７１２及び戸先側縦枠７１３は、図３に示すように、奥行方向において、仕切壁１１の厚さよりも長い奥行長さを有して構成される。戸体上枠７１１、吊元側縦枠７１２及び戸先側縦枠７１３は、仕切壁１１に固定されている。戸体７２の下方と床１２と間には、隙間が形成されている。
【００２７】
戸体７２は、図２及び図３に示すように、戸体上枠７１１、吊元側縦枠７１２及び戸先側縦枠７１３に囲まれた空間において、ドア枠体７１の奥行方向の手前側（本実施形態においては、図２の紙面における手間側、図３の紙面における下方側）に配置される。
【００２８】
戸体７２は、２つの蝶番７３を介して、ドア枠体７１の吊元側縦枠７１２に開閉可能に取り付けられる。２つの蝶番７３は、上下に離間して配置され、戸体７２における室内窓ユニット２０側の端部において、ドア枠体７１の奥行方向の手前側に配置される。戸体７２は、蝶番７３を中心に回転して、図２における手前側に開かれる。本実施形態においては、戸体７２が閉位置に位置する場合に、戸体７２が開く手前側の面を前面７２ａといい、前面７２ａの裏側の面を裏面７２ｂという。
【００２９】
戸体７２は、戸体７２が閉位置に位置する場合には、前面７２ａが、仕切壁１１で仕切られた手前側空間側を向くように配置され、裏面７２ｂが、仕切壁１１で仕切られた奥側空間を向くように配置される（図３における実線部分の戸体７２参照）。
戸体７２は、戸体７２が開位置に位置する場合には、前面７２ａが、仕切壁１１の柱状構造体１１３（後述）の手前側空間側の対向壁面１１ａに対向するように配置され、裏面７２ｂが、仕切壁１１で仕切られた手前側空間側を向くように配置される（図３における二点鎖線の戸体７２参照）。
【００３０】
吊元側縦枠７１２には、戸先側を向く見込面に吊元側戸当たり７４１が配置される。戸先側縦枠７１３には、吊元側を向く見込面に戸先側戸当たり７４２が配置される。
【００３１】
戸体７２は、開位置に位置する場合に、仕切壁１１の対向壁面１１ａに対向するように配置される。対向壁面１１ａは、仕切壁１１の柱状構造体１１３（後述）における手前側空間側の面である。戸体７２は、室内窓ユニット２０に隣接して並んで配置されるため、戸体７２の前面７２ａの戸先側の部分は、室内窓ユニット２０に対向して配置される。戸体７２が開位置に位置する場合には、戸体７２の戸先側の部分と室内窓ユニット２０とは、奥行方向において重なって配置される。
【００３２】
戸体７２の前面７２ａには、戸先側において、ドアノブ７５（取っ手）が取り付けられている。ドアノブ７５は、戸体７２が閉位置に位置する場合には、室内空間における手前側空間側に突出するように配置され、戸体７２が開位置に位置する場合には、室内窓ユニット２０に対向するように配置される。
【００３３】
ここで、図３に示すように、室内窓ユニット２０は、戸体７２に対して蝶番７３側において、仕切壁１１の対向壁面１１ａよりも奥側の位置に配置される。そのため、戸体７２が蝶番７３を中心に回転して開位置に位置しても、戸体７２が対向壁面１１ａに先に衝突して（図３における二点鎖線の戸体７２参照）、戸体７２のドアノブ７５が室内窓ユニット２０に衝突することを低減できる。
【００３４】
本実施形態においては、ドア枠体７１は、図２に示すように、吊元側縦枠７１２及び戸先側縦枠７１３の下部において、床１２の上に固定され、ドア側開口１０１の上部において、上部構造体１１１に固定され、室内窓ユニット２０と反対側の側部において、ドア側端部構造体１１２に固定され、室内窓ユニット２０側の側部において、柱状構造体１１３に固定される。
【００３５】
上部構造体１１１は、図４に示すように、前述した木枠１３の一部を構成する上端横木枠１５と、上端横木枠１５の下方側に配置されるかい木１１１ｂと、上端横木枠１５及びかい木１１１ｂの前後の表面を覆う壁面ボード１１１ｃと、を備えて構成される。
【００３６】
上端横木枠１５は、図２に示すように、ドア枠体７１と室内窓ユニット２０の上部において、ドア枠体７１と室内窓ユニット２０とに亘って、ドア枠体７１と室内窓ユニット２０が並ぶ方向に延びる。上端横木枠１５は、見込方向に幅を有して構成される。壁面ボード１１１ｃは、図４に示すように、かい木１１１ｂの下方には配置されておらず、かい木１１１ｂの下部には、ドア枠体７１の戸体上枠７１１が固定される。
【００３７】
以上のように構成される上部構造体１１１は、図２に示すように、ドア枠体７１と室内窓ユニット２０の上部において、ドア枠体７１と室内窓ユニット２０とに亘って、ドア枠体７１と室内窓ユニット２０が並ぶ方向に延びて構成されており、仕切壁１１の左右方向の一方側（本実施形態においては、図２における左側）において、枠付ドア７０を固定し、仕切壁１１の左右方向の他方側（本実施形態においては、図２における右側）において、室内窓ユニット２０を固定する。
【００３８】
ドア側端部構造体１１２は、図３に示すように、前述した木枠１３の一部を構成するドア側端部縦木枠１４２と、ドア側端部縦木枠１４２の側方側に配置されるかい木１１２ｂと、ドア側端部縦木枠１４２及びかい木１１２ｂの前後の表面を覆う壁面ボード１１２ｃと、を備えて構成される。壁面ボード１１２ｃは、かい木１１２ｂの側方には配置されておらず、かい木１１２ｂの側方には、ドア枠体７１の戸先側縦枠７１３が固定される。
【００３９】
柱状構造体１１３は、図２に示すように、上下方向に延びて構成され、図３に示すように、前述した木枠１３の一部を構成する中央縦木枠１４１と、中央縦木枠１４１の側方に側に配置されるかい木１１３ｂと、中央縦木枠１４１及びかい木１１３ｂの前後の表面と室内窓ユニット２０側の面とを覆う壁面ボード１１３ｃと、を備えて構成される。壁面ボード１１３ｃは、かい木１１３ｂにおける枠付ドア７０側の側方には配置されておらず、かい木１１３ｂにおける枠付ドア７０側の側方には、ドア枠体７１の吊元側縦枠７１２が固定される。
【００４０】
以上のように構成される柱状構造体１１３は、左右方向の一方側（図３における左側）において、枠付ドア７０の戸先側縦枠７１３が固定されると共に、左右方向の他方側（図３における右側）において、室内窓ユニット２０が固定される。柱状構造体１１３は、室内窓ユニット２０と枠付ドア７０との間に配置され、室内窓ユニット２０と枠付ドア７０とを接続する。柱状構造体１１３は、枠付ドア７０及び室内窓ユニット２０を側方の一方側及び他方側において固定することで、枠付ドア７０及び室内窓ユニット２０の両方を固定する共通の構造体を構成する。
【００４１】
次に、室内窓ユニット２０について説明する。図５は、室内窓ユニット２０の開閉窓４０を構成する部分の縦断面図であって、図２のＣ−Ｃ線断面図である。図６は、図５の部分拡大図である。図７は、室内窓ユニット２０の開閉窓４０を構成する部分の横断面図であって、図２のＤ−Ｄ線断面図である。図８は、室内窓ユニット２０のＦＩＸ窓５０を構成する部分の縦断面図であって、図２のＥ−Ｅ線断面図である。図９は、図８の部分拡大図である。図１０は、室内窓ユニット２０のＦＩＸ窓５０を構成する部分の横断面図であって、図２のＦ−Ｆ線断面図である。
【００４２】
室内窓ユニット２０は、図２に示すように、仕切壁１１の面方向において、枠付ドア７０との間に柱状構造体１１３を挟んで、枠付ドア７０に隣接して並んで配置される。柱状構造体１１３は、室内窓ユニット２０と枠付ドア７０との間に配置される。
本実施形態における室内窓ユニット２０は、室内空間を仕切るように配置されるものであり、室内空間を仕切る仕切壁の開口に取り付けられたり、仕切りがない室内空間において床と天井との間に取り付けられる。
【００４３】
本実施形態においては、図２に示すように、室内窓ユニット２０は、室内空間を仕切る仕切壁１１の窓側開口１０２に取り付けられている。室内窓ユニット２０は、窓ユニット２１が左右方向に２ユニット連続して並んで配設される。窓ユニット２１は、最上段に開閉窓４０が配置され、最上段よりも下段の３段に、複数（３つ）のＦＩＸ窓５０が上下方向に並んで配置される。本実施形態においては、窓ユニット２１は、上下方向に並ぶ複数の窓（開閉窓４０及びＦＩＸ窓５０）を備えている。
【００４４】
室内窓ユニット２０において、枠体３０内に、開閉窓４０の障子を構成する開閉障子４２と、ＦＩＸ窓５０の障子を構成するＦＩＸ障子５２と、が納められる。枠体３０は、全体として矩形に枠組みされている。開閉窓４０及びＦＩＸ窓５０は、室内空間に配置される室内窓を構成する。
【００４５】
枠体３０は、図２に示すように、複数の縦枠３１と、複数の横枠３４と、を備える。
複数の縦枠３１は、室内窓ユニット２０における左右方向の両端に配置される端部縦枠３２（縦枠）と、両端の端部縦枠３２の間に配置される複数の連結縦枠３３（縦枠）と、を有する。縦枠３１は、仕切壁１１の窓側開口１０２において縦通しで配置される。なお、本実施形態においては、端部縦枠３２及び連結縦枠３３について特に区別する必要がない場合には、単に「縦枠３１」と記載する。
複数の横枠３４は、上枠３５と、複数の中枠３６と、下枠３７と、を有する。上枠３５、複数の中枠３６及び下枠３７は、２つの縦枠３１の間において左右方向に延びて配置される。
縦枠３１及び横枠３４は、例えば、アルミ材料の形材で形成される。
【００４６】
以上のように構成される枠体３０においては、２つの縦枠３１の間において、上枠３５、複数の中枠３６及び下枠３７により上下４段に区画され、中枠３６を介して、最上段には開閉障子４２が納められ、最上段よりも下段の３段にはＦＩＸ障子５２が納められることで、１つの窓ユニット２１が構成される。開閉障子４２とＦＩＸ障子５２との間に配置される中枠３６は、開閉窓４０及びＦＩＸ窓５０に共通の横枠である。
そして、本実施形態においては、室内窓ユニット２０は、窓ユニット２１が、左右方向に２ユニット連続して並んで配設されることで構成される。これにより、室内窓ユニット２０は、複数の窓が左右方向（横方向）に連続して配置された連窓を構成する。隣接する窓ユニット２１は、隣接する窓ユニット２１の連結縦枠３３（縦枠３１）同士が、長手方向に直交する方向に連結される。
【００４７】
次に、開閉窓４０及びＦＩＸ窓５０の構成について説明する。
開閉窓４０は、図２に示すように、窓ユニット２１の最上段に配置される。開閉窓４０は、図２、図５〜７に示すように、開閉枠体４１（枠体）と、開閉枠体４１内に配置された開閉障子４２（障子）と、フリクションステー４４と、を備える。開閉窓４０は、開閉障子４２が開閉する開閉式である。
【００４８】
開閉枠体４１は、窓ユニット２１の枠体３０の一部により構成され、左右に離間して配置される縦枠３１（端部縦枠３２、連結縦枠３３）の上側の部分と、上枠３５と、中枠３６と、により矩形に構成される。
【００４９】
フリクションステー４４は、開閉障子４２の開口角度を任意な角度で保持可能である。フリクションステー４４は、図５に示すように、第１バー部材４４１と、第２バー部材４４２と、第１バー部材４４１及び第２バー部材４４２を連結する軸部材４４３とを有して構成され、一端部が開閉障子４２の下方側の部分に連結され、他端部が縦枠３１に連結される。
【００５０】
開閉式の開閉障子４２は、開閉枠体４１（枠体）内に配置される。開閉障子４２は、図２に示すように、開閉框体４２１と、開閉ガラス４２５と、開閉把持部４２７と、開閉枠体４１と開閉障子４２の上端部とを連結すると共に開閉障子４２の回転軸を構成する回転連結部４３と、を備える。開閉框体４２１は、図２、図５〜７に示すように、開閉ガラス４２５の上端を保持する開閉上框４２２と、開閉ガラス４２５の下端を保持する開閉下框４２３と、開閉ガラス４２５の左右の端部を保持する左右の開閉縦框４２４と、を備える。回転連結部４３は、図５〜図７に示すように、開閉障子４２を開閉枠体４１に対して回転可能に、開閉枠体４１の縦枠３１と開閉障子４２の上端部とを接続する。開閉把持部４２７は、開閉障子４２を開放・閉鎖する際に使用者に把持される。
【００５１】
ＦＩＸ窓５０は、図２に示すように、窓ユニット２１の最上段よりも下段に複数配置される。ＦＩＸ窓５０は、図２、図８〜図１０に示すように、開閉窓４０の下段に上下方向に３段並んで配置され、ＦＩＸ枠体５１（枠体）と、ＦＩＸ枠体５１内に配置されたＦＩＸ障子５２（障子）と、を備えて構成される。ＦＩＸ枠体５１は、室内窓ユニット２０の枠体３０の一部により構成され、左右に離間して配置される縦枠３１（端部縦枠３２、連結縦枠３３）の下側の部分と、中枠３６と、下枠３７と、により矩形に構成される。
【００５２】
ＦＩＸ障子５２は、図２に示すように、ＦＩＸ框体５２１と、ＦＩＸガラス５２５と、を備える。ＦＩＸ框体５２１は、図２、図８〜図１０に示すように、ＦＩＸガラス５２５の上端を保持するＦＩＸ上框５２２と、ＦＩＸガラス５２５の下端を保持するＦＩＸ下框５２３と、ＦＩＸガラス５２５の左右の端部を保持する左右のＦＩＸ縦框５２４と、を備える。
【００５３】
開閉ガラス４２５及びＦＩＸガラス５２５としては、光の透過度などを考慮して、例えば、透明ガラスや、エッチングガラスなどを使用することができる。透明ガラスは、光を透過し、顔などの識別ができるガラスである。エッチングガラスは、光を透過するが、顔や詳しい動作などの識別ができず、ぼやけて視認されるガラスである。エッチングガラスは、主に、目隠しとなる。
【００５４】
開閉ガラス４２５及びＦＩＸガラス５２５のガラスの種類を使い分けることで、異なる効果を得ることができる。例えば、下の段だけにエッチングガラスを使用することで、床置きしている荷物など（例えば、洗濯物カゴ）をぼやかせて視認させることができる。また、全部の段にエッチングガラスを使用することで、室内における照明などの点灯を確認できる一方、動作などの識別ができないため、家族内でのプライバシーを守ることができる。
【００５５】
次に、枠体３０の詳細について説明する。枠体３０内には、開閉窓４０の開閉障子４２及びＦＩＸ窓５０のＦＩＸ障子５２が配置される。
【００５６】
複数の縦枠３１は、図２に示すように、室内窓ユニット２０の左右方向の両端部に配置される端部縦枠３２と、端部縦枠３２の間に配置される複数の連結縦枠３３と、を有する。室内窓ユニット２０の左右方向の両端部に配置される端部縦枠３２は、左右対称の形状を有する。窓ユニット２１が左右方向に隣接して配置される場合に、隣接する窓ユニット２１の連結縦枠３３同士は、連結される。
【００５７】
端部縦枠３２は、図２に示すように、室内空間を仕切る仕切壁１１の窓側開口１０２において上下方向に通しで配置される。端部縦枠３２は、図７及び図１０に示すように、凸形状ホロー部３２１と、延出部３２２と、突片３２４と、を有する。
【００５８】
凸形状ホロー部３２１は、図７及び図１０に示すように、上下方向に見た場合に、略長方形状の長方形部分３２１ａと、長方形部分３２１ａの見付方向の外側（障子（開閉障子４２、ＦＩＸ障子５２）が配置されない側）の見込面から矩形状に外方に突出する凸形状の凸部３２１ｂと、を有する中空状に形成される。凸形状ホロー部３２１は、障子（開閉障子４２、ＦＩＸ障子５２）が配置される側（一方側、縦枠３１における内側）において、見込方向に延びる平面のみで構成される見込面である見込平面部３２１ｃを有する。見込平面部３２１ｃ及び凸部３２１ｂは、端部縦枠３２の上下方向の全域に形成される。
【００５９】
延出部３２２は、凸形状ホロー部３２１の見込平面部３２１ｃにおける見込方向の一方側（開閉障子４２が開く側と反対側）の端部において、凸形状ホロー部３２１の見込平面部３２１ｃから見付方向の内側に延出する。延出部３２２は、凸形状ホロー部３２１の一方側の端部において見込平面部３２１ｃから見付方向の内側に延出することで、開閉障子４２と端部縦枠３２とを連結する際に用いられる開閉側カバー部材４５（後述）や、ＦＩＸ障子５２と縦枠３１とを連結する際に用いられるＦＩＸ側先付けカバー部材５３（後述）を、外部から見えないように隠す。
【００６０】
突片３２４は、凸形状ホロー部３２１の見込平面部３２１ｃにおける見込方向の他方側（開閉障子４２が開く側）の端部において、延出部３２２よりも短い長さで、凸形状ホロー部３２１の見込平面部３２１ｃから見付方向の内側に延出する。突片３２４は、凸形状ホロー部３２１の他方側の端部において見込平面部３２１ｃから見付方向の内側に延出することで、開閉障子４２と端部縦枠３２との連結部分や、ＦＩＸ障子５２と端部縦枠３２との連結部分を、外部から見えないように隠す。
【００６１】
連結縦枠３３は、図２に示すように、室内空間を仕切る仕切壁１１の窓側開口１０２において上下方向に通しで配置される。連結縦枠３３は、図７及び図１０に示すように、ホロー部３３１と、延出部３３２と、突片３３４と、を有する。
【００６２】
ホロー部３３１は、図７及び図１０に示すように、上下方向に見た場合に、略長方形状の長方形部分３３１ａを有する中空状に形成される。ホロー部３３１は、障子（開閉障子４２、ＦＩＸ障子５２）が配置される側（一方側、縦枠３１における内側）において、見込方向の延びる平面のみで構成される見込面である見込平面部３３１ｃを有する。また、ホロー部３３１は、障子（開閉障子４２、ＦＩＸ障子５２）が配置されない側（他方側、縦枠３１における外側）において、隣接する連結縦枠３３に対向して形成される平面状の見込面である連結平面部３３１ｄを有する。見込平面部３３１ｃ及び連結平面部３３１ｄは、連結縦枠３３の上下方向の全域に形成される。
【００６３】
延出部３３２は、ホロー部３３１の見込平面部３３１ｃにおける見込方向の一方側（開閉障子４２が開く側と反対側）の端部において、ホロー部３３１の見込平面部３３１ｃから見付方向の内側に延出する。延出部３３２は、ホロー部３３１の一方側の端部において見込平面部３３１ｃから見付方向の内側に延出することで、開閉障子４２と連結縦枠３３とを連結する際に用いられる開閉側カバー部材４５（後述）や、ＦＩＸ障子５２と連結縦枠３３とを連結する際に用いられるＦＩＸ側先付けカバー部材５３（後述）を、外部から見えないように隠す。
【００６４】
突片３３４は、ホロー部３３１の見込平面部３３１ｃにおける見込方向の他方側（開閉障子４２が開く側）の端部において、延出部３３２よりも短い長さで、ホロー部３３１の見込平面部３３１ｃから見付方向の内側に延出する。突片３３４は、ホロー部３３１の他方側の端部において見込平面部３３１ｃから見付方向の内側に延出することで、開閉障子４２と連結縦枠３３との連結部分や、ＦＩＸ障子５２と連結縦枠３３との連結部分を、外部から見えないように隠す。
【００６５】
開閉障子４２は、図７に示すように、Ｌ字状の開閉側カバー部材４５が縦枠３１の見込平面部３２１ｃ，３３１ｃに取り付けられた後に、開閉側カバー部材４５に取り付けられることで、開閉側カバー部材４５を介して、縦枠３１の見込平面部３２１ｃ，３３１ｃに固定される。これにより、開閉障子４２は、縦枠３１のみに固定される。なお、開閉障子４２は、横枠３４（上枠３５、中枠３６、下枠３７）には固定されていない。
【００６６】
開閉側カバー部材４５は、図７に示すように、断面視Ｌ字状の板材で形成され、上下方向に延びており、見込平面部３２１ｃ，３３１ｃに沿って配置される開閉側見込板４５１と、縦枠３１の延出部３２２，３３２の開閉障子４２側の面に沿って配置される開閉側見付板４５２と、を有する。
【００６７】
開閉障子４２は、開閉側カバー部材４５が縦枠３１に取り付けられた状態において、開閉側カバー部材４５及び縦枠３１に、開閉障子４２の回転連結部４３を取り付けることで、窓ユニット２１の上段に取り付けられる。
【００６８】
ＦＩＸ障子５２は、図１０に示すように、ＦＩＸ障子５２の見付方向の端部がＬ字状のＦＩＸ側先付けカバー部材５３（カバー部材、第１カバー部材）及びＬ字状のＦＩＸ側後付けカバー部材５４（カバー部材、第２カバー部材）に挟まれた状態で、縦枠３１の見込平面部３２１ｃ，３３１ｃに固定される。これにより、ＦＩＸ障子５２は、縦枠３１のみに固定される。なお、ＦＩＸ障子５２は、横枠３４（上枠３５、中枠３６、下枠３７）には固定されていない。
【００６９】
ＦＩＸ側先付けカバー部材５３は、図１０に示すように、断面視Ｌ字状の板材で形成され、上下方向に延びており、見込平面部３２１ｃ，３３１ｃに沿って配置される先付け側見込板５３１と、縦枠３１の延出部３２２，３３２のＦＩＸ障子５２側の面に沿って配置される先付け側見付板５３２と、を有する。
【００７０】
ＦＩＸ側後付けカバー部材５４は、図１０に示すように、断面視Ｌ字状の板材で形成され、上下方向に延びており、見込平面部３２１ｃ，３３１ｃに沿って配置される後付け側見込板５４１と、縦枠３１の延出部３２２，３３２のＦＩＸ障子５２側の面に沿って配置される後付け側見付板５４２と、を有する。
【００７１】
ＦＩＸ障子５２は、ＦＩＸ側先付けカバー部材５３が縦枠３１に取り付けられた状態において、ＦＩＸ側先付けカバー部材５３にＦＩＸ障子５２を配置して、ＦＩＸ側先付けカバー部材５３とＦＩＸ側後付けカバー部材５４との間にＦＩＸ障子５２の見付方向の端部を挟んだ状態で、ＦＩＸ側後付けカバー部材５４を縦枠３１に固定することで、窓ユニット２１の最上段よりも下段に複数取り付けられる。
【００７２】
以上のように構成される縦枠３１は、図７及び図１０に示すように、窓ユニット２１における上段及び下段のいずれにおいても、平面のみで構成される見込平面部３２１ｃ，３３１ｃを有する。そのため、開閉障子４２及びＦＩＸ障子５２のいずれも、取り付けることができる。本実施形態においては、開閉側カバー部材４５を用いて、上段に開閉障子４２を配置し、ＦＩＸ側先付けカバー部材５３及びＦＩＸ側後付けカバー部材５４を用いて、最上段よりも下段の３段に、３つのＦＩＸ障子５２を並べて配置している。
【００７３】
なお、縦枠３１は、平面のみで構成される見込平面部３２１ｃ，３３１ｃを有するため、上下方向のいずれの段に配置される窓の種類は、本実施形態に限定されない。例えば、最下段に開閉窓４０を設置し、最下段よりも上段にＦＩＸ窓５０を設置してもよいし、全部の段に開閉窓４０を設置してもよいし、全部の段にＦＩＸ窓５０を設置してもよい。窓ユニット２１が複数段で構成されている場合においても、窓ユニット２１が左右方向に連窓されていても、見込平面部３２１ｃ，３３１ｃを有するため、窓ユニット２１におけるいずれの段にも、任意の種類の窓を設置することができる。
【００７４】
枠付ドア７０側に配置される端部縦枠３２は、図７及び図１０に示すように、見付方向における障子（開閉障子４２、ＦＩＸ障子５２）と反対側に突出する凸部３２１ｂにおいて、端部縦枠３２の側方に配置される所定厚さの仕切壁１１に取り付けられる。仕切壁１１は、図７及び図１０に示すように、窓側開口１０２における枠付ドア７０側の側部において、柱状構造体１１３を備える。柱状構造体１１３は、前述の通り、枠付ドア７０及び室内窓ユニット２０を側方の一方側及び他方側において固定することで、枠付ドア７０及び室内窓ユニット２０の両方を固定する共通の構造体を構成する。
【００７５】
柱状構造体１１３は、図２及び図３に示すように、前述した木枠１３の一部を構成する中央縦木枠１４１と、中央縦木枠１４１の室内窓ユニット２０側に配置されるかい木１１３ｂと、中央縦木枠１４１とかい木１１３ｂの表面を覆う壁面ボード１１３ｃと、を備えて構成される。中央縦木枠１４１は、見込方向に幅を有して構成される。
【００７６】
端部縦枠３２は、図７及び図１０に示すように、壁面ボード１１３ｃが取り付けられる前に、凸部３２１ｂの見込方向の先端が、仕切壁１１のかい木１１３ｂの見込方向に延びる面における見込方向の中央近傍に当接された状態で、かい木１１３ｂ及び中央縦木枠１４１にネジ固定されることで、仕切壁１１に取り付けられる。端部縦枠３２の凸部３２１ｂをかい木１１３ｂ及び中央縦木枠１４１に固定した後に、壁面ボード１１３ｃは、凸部３２１ｂの見付面に壁面ボード１１３ｃの端部１１３ｄが当接又は近接した状態で、長方形部分３２１ａとかい木１１３ｂとの間に取り付けられると共に、中央縦木枠１４１及びかい木１１３ｂの表面を覆うように取り付けられる。これにより、壁面ボード１１３ｃは、仕切壁１１に固定される凸部３２１ｂを隠すことができると共に、中央縦木枠１４１とかい木１１３ｂの表面を覆うことができる。端部縦枠３２は、凸部３２１ｂが壁面ボード１１３ｃで隠された状態で仕切壁１１に固定されているため、見付方向の幅を小さくでき、細い見付幅の枠となる。また、端部縦枠３２は、凸部３２１ｂが壁面ボード１１３ｃで隠されており、凹凸が外部に露出されないため、意匠性を向上できる。
【００７７】
枠付ドア７０側とは反対側に配置される端部縦枠３２は、枠付ドア７０側に配置される端部縦枠３２と左右対称の構造を有し、枠付ドア７０側に配置される端部縦枠３２と同様に、仕切壁１１に取り付けられる。仕切壁１１は、図２及び図３に示すように、窓側開口１０２における枠付ドア７０と反対側の側部において、窓側端部構造体１１４を備える。
【００７８】
窓側端部構造体１１４は、図２及び図３に示すように、窓側端部縦木枠１４３と、窓側端部縦木枠１４３の室内窓ユニット２０側に配置されるかい木１１４ｂと、窓側端部縦木枠１４３とかい木１１４ｂの表面を覆う壁面ボード１１４ｃと、を備えて構成される。窓側端部縦木枠１４３は、見込方向に幅を有して構成される。窓側端部構造体１１４に固定される端部縦枠３２は、柱状構造体１１３に固定される端部縦枠３２と左右対称であるため、室内窓ユニット２０の左右のいずれかの端部で固定されるのみが異なるのみで、柱状構造体１１３に固定される端部縦枠３２と同様の構成である。そのため、窓側端部構造体１１４に固定される端部縦枠３２の説明は、柱状構造体１１３に固定される端部縦枠３２の固定構造の説明を援用して、その説明を省略する。
【００７９】
また、隣接する窓ユニット２１の連結縦枠３３同士は、図７及び図１０に示すように、連結平面部３３１ｄ同士が対向した状態で当接して配置され、互いが連結される。連結縦枠３３同士は、連結平面部３３１ｄが対向して当接した状態で、連結縦枠３３のホロー部３３１の当接する板材同士が、ネジ部材３３ａにより連結される。
【００８０】
従来、窓ユニット同士を連結して連窓とする場合に、連窓のために接続される隣接する窓ユニットの縦枠同士を直接接続するのではなく、方立を介して接続していた。方立の見込方向の寸法は、窓ユニット２１を構成する縦枠の見込方向の寸法よりも大きくなることがあり、方立の見込方向の寸法に合わせて、連窓した室内窓ユニットの見込方向の寸法も大きくなっていた。これに対して、本発明においては、連結縦枠３３同士を直接連結できるため、連窓の場合に必要な方立を必要しない。よって、連窓とした室内窓ユニット２０の見込方向の寸法を小さくすることができる。
【００８１】
連結縦枠３３同士は、当接して配置された場合に、連結部分において、見込方向の両端部に形成されて見付方向に対向する角部同士により、連結縦枠３３の長手方向に直交する断面形状がＶ字状のＶ溝３３ｂが形成される。Ｖ溝３３ｂは、外方側に向かうに従って開放するＶ字状に形成される。Ｖ溝３３ｂは、連結縦枠３３のホロー部３３１の見込方向の両端部において角部を傾斜させて面取りし、見付方向に対向することで形成される。これにより、連結縦枠３３同士の見込方向の位置がずれた場合でも、連結縦枠３３同士の連結部分を視認しても、一方の連結縦枠３３に対する他方の連結縦枠３３の位置ずれを分かり難くすることができる。これにより、意匠性を向上できる。
【００８２】
複数の横枠３４は、図２に示すように、上枠３５と、複数の中枠３６と、下枠３７と、を有する。
上枠３５は、２つの縦枠３１の間において、縦枠３１の上端部に配置され、左右方向に延びて形成される。
上枠３５は、窓側開口１０２の上部に配置される仕切壁１１に固定されている。
上枠３５は、図６に示すように、凸形状ホロー部３５１と、下方延出部３５２と、を有する。
【００８３】
凸形状ホロー部３５１は、図６に示すように、左右方向に見た場合に、略長方形状の長方形部分３５１ａと、長方形部分３５１ａの見付方向の外側（開閉障子４２が配置されない側）の見込面から矩形状に外方に突出する凸形状の凸部３５１ｂと、を有する中空状に形成される。凸形状ホロー部３５１は、開閉障子４２が配置される側（上枠３５における下方側）において、見込方向に延びる下面部３５１ｃを有する。下面部３５１ｃ及び凸部３５１ｂは、上枠３５の左右方向の全域に形成される。
【００８４】
下方延出部３５２は、凸形状ホロー部３５１の下面部３５１ｃにおける見込方向の一方側（開閉障子４２が開く側と反対側）の端部において、凸形状ホロー部３５１の下面部３５１ｃから下方側に延出する。下方延出部３５２は、凸形状ホロー部３５１の一方側の端部において下面部３５１ｃから下方側に延出するため、凸形状ホロー部３５１の下面部３５１ｃと障子（開閉障子４２）との境界部分を外部から見えなくする目隠し効果を有する。
【００８５】
上枠３５は、見付方向における開閉障子４２と反対側の上方に突出する凸部３５１ｂにおいて、上枠３５の上方に配置される所定厚さの仕切壁１１に取り付けられる。仕切壁１１は、図６に示すように、窓側開口１０３の上部において、上部構造体１１１を備える。
上部構造体１１１は、前述の通り、図２に示すように、仕切壁１１の左右方向の一方側（図２における左側）において、枠付ドア７０を固定し、仕切壁１１の左右方向の他方側（図２における右側）において、室内窓ユニット２０を固定する。
【００８６】
上部構造体１１１は、図６に示すように、前述した木枠１３の一部を構成する上端横木枠１５と、上端横木枠１５の下方側に配置されるかい木１１１ｂと、上端横木枠１５とかい木１１１ｂの前後の表面を覆う壁面ボード１１１ｃと、を備えて構成される。上端横木枠１５は、見込方向に幅を有して構成される。
【００８７】
上枠３５は、図６に示すように、壁面ボード１１１ｃが取り付けられる前に、凸部３５１ｂの上端が、仕切壁１１のかい木１１１ｂの見込方向に延びる面における見込方向の中央近傍に当接された状態で、かい木１１１ｂ及び上端横木枠１５にネジ固定されることで、仕切壁１１に取り付けられる。上枠３５の凸部３５１ｂをかい木１１１ｂ及び上端横木枠１５に固定した後に、壁面ボード１１１ｃは、凸部３５１ｂの見付面に壁面ボード１１１ｃの端部１１１ｄが当接又は近接した状態で、長方形部分３５１ａとかい木１１１ｂとの間に取り付けられると共に、上端横木枠１５及びかい木１１１ｂの表面を覆うように取り付けられる。これにより、壁面ボード１１１ｃは、仕切壁１１に固定される凸部３５１ｂを隠すことができると共に、上端横木枠１５とかい木１１１ｂの表面を覆うことができる。上枠３５は、凸部３５１ｂが壁面ボード１１１ｃで隠された状態で仕切壁１１に固定されているため、見付方向の幅を小さくでき、細い見付幅の枠となる。また、上枠３５は、凸部３５１ｂが壁面ボード１１１ｃで隠されており、凹凸が外部に露出されないため、意匠性を向上できる。
【００８８】
下枠３７は、図２に示すように、２つの縦枠３１の間において、縦枠３１の下端部に配置され、左右方向に延びて形成される。
下枠３７は、窓側開口１０２の下部に配置される床１２に固定されている。
下枠３７は、図９に示すように、ホロー部３７１と、上方延出部３７２と、を有する。
【００８９】
ホロー部３７１は、図９に示すように、左右方向に見た場合に、略長方形状の長方形部分３７１ａを有する。ホロー部３７１は、ＦＩＸ障子５２が配置される側（下枠３７における上方側）において、見込方向に延びる上面部３７１ｃを有する。また、ホロー部３７１は、床１２側において、見込方向に延びる下面部３７１ｅを有する。上面部３７１ｃ及び下面部３７１ｅは、下枠３７の左右方向の全域に形成される。
【００９０】
上方延出部３７２は、ホロー部３７１の上面部３７１ｃにおける見込方向の一方側（開閉障子４２が開く側と反対側）の端部において、ホロー部３７１の上面部３７１ｃから上方側に延出する。上方延出部３７２は、ホロー部３７１の一方側の端部において上面部３７１ｃから上方側に延出するため、ホロー部３７１の上面部３７１ｃと障子（ＦＩＸ障子５２）との境界部分を外部から見えなくする目隠し効果を有する。
【００９１】
下枠３７は、見付方向におけるＦＩＸ障子５２と反対側の下面部３７１ｅにおいて、床１２に取り付けられる。床１２は、床板構造体１２１により構成され、下枠３７は、床板構造体１２１の上面に載置して固定されることで、床１２に取り付けられる。
【００９２】
複数の中枠３６は、図２に示すように、２つの縦枠３１の間において、縦枠３１の上下方向の途中に配置され、上下方向に並んで配置される開閉障子４２及びＦＩＸ障子５２の間において、左右方向に延びて形成される。中枠３６は、上下方向において枠体３０を複数段に仕切る。中枠３６は、見付方向の両端部が縦枠３１に固定される。中枠３６は、中枠３６を上下方向に挟んで配置される開閉障子４２及びＦＩＸ障子５２において、共通の横枠（上段に配置される開閉窓４０の下側の下枠、下段に配置されるＦＩＸ窓５０の上側の上枠）として構成される。
【００９３】
中枠３６は、図６に示すように、ホロー部３６１と、上側延出部３６２と、下側延出部３６３と、を有する。
【００９４】
ホロー部３６１は、図６に示すように、左右方向に見た場合に、略長方形状の長方形部分３６１ａを有する中空状に形成される。ホロー部３６１は、障子（開閉障子４２、ＦＩＸ障子５２）が配置される上方側及び下方側おいて、上面及び下面に、見込方向に延びる上面部３６１ｃ及び下面部３６１ｄを有する。上面部３６１ｃ及び下面部３６１ｄは、中枠３６の左右方向の全域に形成される。
【００９５】
上側延出部３６２及び下側延出部３６３は、ホロー部３６１の上面部３６１ｃ及び下面部３６１ｄにおける見込方向の一方側（開閉障子４２が開く側と反対側）の端部において、ホロー部３６１の上面部３６１ｃ及び下面部３６１ｄから、上方側及び下方側に延出する。これにより、上側延出部３６２は、ホロー部３６１の一方側の端部において上面部３６１ｃから上方側に延出するため、ホロー部３６１の上面部３６１ｃと障子（開閉障子４２）との境界部分を外部から見えなくする目隠し効果を有する。また、下側延出部３６３は、ホロー部３６１の一方側の端部において下面部３６１ｄから下方側に延出するため、ホロー部３６１の下面部３６１ｄと障子（ＦＩＸ障子５２）との境界部分を外部から見えなくする目隠し効果を有する。
【００９６】
以上のように構成される室内空間の採光構造１においては、戸体７２及び室内窓ユニット０２により室内空間を仕切ることができると共に、人が出入りできる開閉可能な戸体７２を設けた室内空間において、光を採り入れることで、明るいオープンな空間を創造できる。
また。室内窓ユニット２０と枠付ドア７０とは、上部において、共通の上部構造体１１１に固定されており、室内窓ユニット２０及び枠付ドア７０における互いに近い側の側部において、共通の柱状構造体１１３に固定されている。そのため、室内窓ユニット２０及び枠付ドア７０は、上部及び側部において、固定強度を高くすることができ、室内窓ユニット２０及び枠付ドア７０の全体を、強度の高い構造体とすることができる。
【００９７】
以上説明してきたように、本実施形態によれば、以下の効果が奏される。
本実施形態の室内空間の採光構造１においては、室内空間を仕切ると共に室内空間への採光が可能な室内空間の採光構造１であって、複数の開閉窓４０及びＦＩＸ窓５０を有する室内窓ユニット２０と、室内窓ユニット２０に隣接して並んで配置される開閉可能な戸体７２と、を備える。そのため、戸体７２及び室内窓ユニット０２により室内空間を仕切ることができると共に、開閉可能な戸体７２を設けた室内空間において、光を採り入れることで、明るいオープンな空間を創造できる。
【００９８】
また、本実施形態においては、室内窓ユニット２０と戸体７２との間に配置され、上下方向に延びる柱状構造体１１３を更に備え、室内窓ユニット２０と戸体７２とは、柱状構造体１１３を介して接続される。これにより、室内窓ユニット２０及び戸体７２は、柱状構造体１１３に固定されるため、室内窓ユニット２０及び戸体７２により室内空間を仕切る場合に、固定強度を高くすることができ、強度の高い構造体とすることができる。
【００９９】
また、本実施形態においては、室内窓ユニット２０は、戸体７２に対して蝶番７３側において、戸体７２が開位置に位置する場合に戸体７２に対向する対向壁面１１ａよりも奥側の位置に配置される。そのため、例えば、戸体７２の前面７２ａにドアノブ７５などの取っ手が取り付けられていた場合に、戸体７２が蝶番７３を中心に回転して開位置に位置しても、戸体７２が対向壁面１１ａに先に衝突して、戸体７２のドアノブ７５などの取っ手が室内窓ユニット２０に衝突することを低減できる。
【０１００】
また、本実施形態においては、室内窓ユニット２０は、上下方向に並んで配置される複数の窓を有し、複数の種類の窓（開閉窓４０、ＦＩＸ窓５０）が配置される。本実施形態では、室内窓ユニット２０において、縦枠３１の障子（開閉障子４２、ＦＩＸ障子５２）側の見込平面部３２１ｃ，３３１ｃが平面のみで構成される。そのため、縦枠３１の見込平面部３２１ｃ，３３１ｃにおいては、縦枠３１には、障子（開閉障子４２、ＦＩＸ障子５２）の種類に応じた加工が施されていないため、異なる種類の障子を容易に設置できる。
【０１０１】
また、本実施形態においては、室内窓ユニット２０は、左右方向（横方向）に連続して配置された連窓を構成し、連窓における隣接する窓の連結縦枠３３同士は、連結縦枠３３の長手方向に直交する方向に連結される。これにより、連結縦枠３３同士を直接連結できるため、連窓の場合に必要な方立を必要しない。よって、連窓とした室内窓ユニット２０の見込方向の寸法を小さくすることができる。これにより、厚さが薄い壁に室内窓ユニット２０を設置できる。
【０１０２】
また、室内窓ユニット２０の見込方向の寸法を小さくできるため、室内窓ユニット２０を対向壁面１１ａよりも奥側の位置に配置しやすくなる。これにより、例えば、戸体７２の前面７２ａにドアノブ７５などの取っ手が取り付けられていた場合に、室内窓ユニット２０を対向壁面１１ａよりも奥側の位置に配置させることができるため、戸体７２が蝶番７３を中心に回転して開位置に位置しても、戸体７２のドアノブ７５が室内窓ユニット２０に衝突することを一層低減できる。
【０１０３】
［第２実施形態］
次に、本発明の第２実施形態について説明する。なお、第２実施形態の説明において、第１実施形態と共通する構成については同一の符号を付し、対応する構成については同一の規則性に従って符号を付し、適宜その説明を省略する。
【０１０４】
第２実施形態は、第１実施形態の室内空間の採光構造１と比べて、枠付きドア７０Ａの構成が異なる。図１１は、第１実施形態の図３に対応する第２実施形態の室内空間の採光構造を示す図であって、戸体７２及び室内窓ユニット２０の横断面である。
図１１に示すように、枠付きドア７０Ａのドア枠体７１Ａは、戸体上枠（図示せず）と、吊元側縦枠７１４と、戸先側縦枠７１５と、を備える。
吊元側縦枠７１４は、ドア側端部構造体１１２に取り付けられる。戸先側縦枠７１５は、柱状構造体１１３に取り付けられる。吊元側縦枠７１４及び戸先側縦枠７１５は、上下方向に延びる形材により形成される。吊元側縦枠７１４及び戸先側縦枠７１５は、例えば、アルミ材料の形材で形成される。
【０１０５】
吊元側縦枠７１４及び戸先側縦枠７１５は、左右対称の形状を有し、それぞれ、縦枠本体７１４ａ，７１５ａと、前側延出板７１４ｅ，７１５ｅと、後側延出板７１４ｆ，７１５ｆと、を有する。
吊元側縦枠７１４の及び戸先側縦枠７１５の縦枠本体７１４ａ，７１５ａは、奥行方向において、仕切壁１１の厚さよりも短い奥行き長さを有して構成される。縦枠本体７１４ａ，７１５ａは、ドア側端部構造体１１２及び柱状構造体１１３のドア側開口１０１側の側面に配置され、奥行方向において、ドア側端部構造体１１２及び柱状構造体１１３の壁面ボード１１２ｃ，１１３ｃの間に配置される。これにより、吊元側縦枠７１４の及び戸先側縦枠７１５の縦枠本体７１４ａ，７１５ａは、仕切壁１１の前側及び後側から視認されないように構成される。
【０１０６】
縦枠本体７１４ａ，７１５ａは、第１ホロー部７１４ｂ，７１５ｂと、第２ホロー部７１４ｃ，７１５ｃと、第１ホロー部７１４ｂ，７１５ｂ及び第２ホロー部７１４ｃ，７１５ｃを接続する接続板部７１４ｄ，７１５ｄと、を有する。
第１ホロー部７１４ｂ，７１５ｂ、第２ホロー部７１４ｃ，７１５ｃ及び接続板部７１４ｄ，７１５ｄは、奥行方向の前側から後側にこの順で配置され、奥行方向において、仕切壁１１の厚さよりも短い奥行き長さで、ドア側端部構造体１１２及び柱状構造体１１３の壁面ボード１１２ｃ，１１３ｃの間に配置されている。
【０１０７】
縦枠本体７１４ａ，７１５ａにおいて、第１ホロー部７１４ｂ，７１５ｂと第２ホロー部７１４ｃ，７１５ｃとの間であって、奥行方向の途中には、ドア側開口１０１の内部側に向けて開放する取付凹部７１４ｇ，７１５ｇが形成される。取付凹部７１４ｇの開放側の端部には、戸先側戸当たり７４２が取り付けられる。取付凹部７１５ｇの開放側の端部には、吊元側戸当たり７４１が取り付けられる。
【０１０８】
前側延出板７１４ｅ，７１５ｅは、板状に形成され、縦枠本体７１４ａ，７１５ａの前側の端部から、前側の壁面ボード１１２ｃ，１１３ｃの端面に沿って、前側に延び、前側の壁面ボード１１２ｃ，１１３ｃの前面から僅かに突出する。前側延出板７１４ｅ，７１５ｅは、板状に形成されるため、前側からは視認されにくい。
【０１０９】
後側延出板７１４ｆ，７１５ｆは、板状に形成され、縦枠本体７１４ａ，７１５ａの後側の端部から、側面側の壁面ボード１１２ｃの側面に沿って、仕切壁１１の奥行方向の後側の途中まで延びる。
【０１１０】
以上のように構成される第２実施形態においては、ドア枠体７１Ａの吊元側縦枠７１４及び戸先側縦枠７１５の縦枠本体７１４ａ，７１５ａは、奥行方向において、仕切壁１１の厚さよりも短い奥行き長さで、ドア側端部構造体１１２及び柱状構造体１１３の壁面ボード１１２ｃ，１１３ｃの間に配置されているため、室内空間から視認されない。また、室内窓ユニット２０の端部縦枠３２は、見付方向の幅を小さくできると共に、凸部３２１ｂが壁面ボード１１３ｃ，１１４ｃで隠されており、凹凸が外部に露出されない。
これにより、第２実施形態においては、枠付きドア７０Ａにも、室内窓ユニット２０にも、室内から目立つように視認される枠体がないため、デザイン上のノイズとなるものがなく、すっきりとしたデザインの室内空間とすることができる。
【０１１１】
以上、本発明の室内空間の採光構造１の好ましい一実施形態について説明したが、本発明は、上述の実施形態に制限されるものではなく、適宜変更が可能である。
例えば、前記実施形態においては、室内窓ユニット２０において、窓（開閉窓４０及びＦＩＸ窓５０）を上下方向及び左右方向（横方向）に複数並んで配置するように構成したが、これに限定されない。窓（開閉窓４０及びＦＩＸ窓５０）は、上下方向にのみ並んで配置されていてもよく、左右方向のみに並んで配置されていてもよい。
【０１１２】
前記実施形態では、戸体７２を、室内窓ユニット２０側に回転して開閉可能な構成としたが、これに限定されない。戸体には、例えば、スライド式の引き戸により構成される戸体、クローゼットの入口に配置される戸体などが含まれる。また、室内窓ユニット２０とは反対側に回転して開閉可能な戸体であってもよい。
【０１１３】
前記実施形態における柱状構造体は、戸体７２と室内窓ユニット２０との間において、上下方向に延びる構造体であれば特に限定されず、前記実施形態のように、例えば、木枠の一部で構成してもよいし、通常の柱で構成してもよい。
【０１１４】
前記実施形態では、枠付ドア７０及び室内窓ユニット２０を、仕切壁１１の開口１０１，１０２に配置したが、これに限定されない。仕切壁が存在しない構成において、枠付ドア７０及び室内窓ユニット２０を、仕切がない床と天井との間に取り付けてもよい。また、室内窓ユニット２０を仕切壁１１の窓側開口１０２に配置する場合に、窓側開口１０２の下方に窓台を設けてもよい。
【符号の説明】
【０１１５】
１…室内空間の採光構造
１１ａ…対向壁面（戸体に対向する壁面）
２０…室内窓ユニット（窓ユニット）
４０…開閉窓（窓）
５０…ＦＩＸ窓（窓）
３３…連結縦枠（縦枠）
７２…戸体
７３…蝶番
１１３…柱状構造体
【図１】
2019044435.tif 000003
【図２】
2019044435.tif 000004
【図３】
2019044435.tif 000005
【図４】
2019044435.tif 000006
【図５】
2019044435.tif 000007
【図６】
2019044435.tif 000008
【図７】
2019044435.tif 000009
【図８】
2019044435.tif 000010
【図９】
2019044435.tif 000011
【図１０】
2019044435.tif 000012
【図１１】
2019044435.tif 000013